(57)【要約】【課題】  本発明は、可変表示装置による所定の特賞条件による出玉計数との比較により不正を検知することを可能とするパチンコの不正検知方法および不正検知機構を提供することを目的とするものである。【解決手段】  本発明は、遊技盤に設けられるスタートチャッカーに打球が入賞することにより可変表示装置が作動し、所定の特賞条件が満たされたとき電子制御盤から発信される特賞信号により大入賞口を開かせ遊技者にとって有利な特賞条件をもたらせるようにしたパチンコ機において、前記スタートチャッカーへの打球の入賞の有無が検知されるスタート検知手段１５と、前記可変表示装置に所定の特賞条件が満たされたときに該スタート検知手段１５によるスタートの有無を電子制御部１１によって比較することにより不正が検知される構成とする。【選択図】        図３
2005270268.tif 000002
【特許請求の範囲】
【請求項１】
遊技盤に設けられるスタートチャッカーに打球が入賞することにより可変表示装置が作動し、所定の特賞条件が満たされたとき電子制御盤から発信される特賞信号により大入賞口を開かせ遊技者にとって有利な特賞条件をもたらせるようにしたパチンコ機において、
前記可変表示装置が所定の特賞条件となったときに、前記スタートチャッカーへの打球の入賞の有無を検知することにより不正を検知する
ことを特徴とするパチンコの不正検知方法。
【請求項２】
遊技盤に設けられるスタートチャッカーに打球が入賞することにより可変表示装置が作動し、所定の特賞条件が満たされたとき電子制御盤から発信される特賞信号により大入賞口を開かせ遊技者にとって有利な特賞条件をもたらせるようにしたパチンコ機において、
前記可変表示装置に所定の特賞条件が満たされたことにより前記大入賞口への打球の入賞による入賞球数を検知する工程を備え、
該所定の特賞条件により設定される入賞球数以上の計数を検知したときに不正を検知する
ことを特徴とするパチンコの不正検知方法。
【請求項３】
遊技盤に設けられるスタートチャッカーに打球が入賞することにより可変表示装置が作動し、所定の特賞条件が満たされたとき電子制御盤から発信される特賞信号により大入賞口を開かせ遊技者にとって有利な特賞条件をもたらせるようにしたパチンコ機において、
前記可変表示装置および他の役物の作動を検知しないときに払い出される設定以上の出球計数を検知したときに不正を検知する
ことを特徴とするパチンコの不正検知方法。
【請求項４】
遊技盤に設けられるスタートチャッカーに打球が入賞することにより可変表示装置が作動し、所定の特賞条件が満たされたとき電子制御盤から発信される特賞信号により大入賞口を開かせ遊技者にとって有利な特賞条件をもたらせるようにしたパチンコ機において、
前記スタートチャッカーへの打球の入賞の有無が検知されるスタート検知手段と、
前記可変表示装置に所定の特賞条件が満たされたときに該スタート検知手段によるスタートの有無を比較することにより不正が検知される比較検知手段を備える
ことを特徴とするパチンコの不正検知機構。
【請求項５】
遊技盤に設けられるスタートチャッカーに打球が入賞することにより可変表示装置が作動し、所定の特賞条件が満たされたとき電子制御盤から発信される特賞信号により大入賞口を開かせ遊技者にとって有利な特賞条件をもたらせるようにしたパチンコ機において、
前記可変表示装置に所定の特賞条件が満たされたことを検知する特賞検知手段と、
前記大入賞口への打球の入賞により入賞球数を検知する入賞球数検知手段と、
該特賞条件により設定される入賞球数と入賞球数検知手段によって計測される入賞球数を比較することにより不正を検知する入賞球数比較検知手段を備える
ことを特徴とするパチンコの不正検知機構。
【請求項６】
遊技盤に設けられるスタートチャッカーに打球が入賞することにより可変表示装置が作動し、所定の特賞条件が満たされたとき電子制御盤から発信される特賞信号により大入賞口を開かせ遊技者にとって有利な特賞条件をもたらせるようにしたパチンコ機において、
前記可変表示装置および他の役物の作動の有無を検知する作動検知手段と、
払い出し口からの出球計数を検知する計数検知手段と、
該可変表示装置および他の役物の作動の有無と計数検知手段による出球計数を比較し設定以上の払い出しが検出されたときに球の抜き取りを検知する払い出し不正検知手段を備える
ことを特徴とするパチンコの不正検知機構。
【発明の詳細な説明】
【技術分野】
【０００１】
本発明はパチンコの不正検知方法および不正検知機構に関する。詳しくは不正に可変入賞装置の作動および大入賞口の不正な手段による強制開口並びに玉補給の不正抜き取りの一連の不正を検知することができるパチンコの不正検知方法および不正検知機構に係るものである。
【背景技術】
【０００２】
周知のように近時のパチンコ機は、遊技盤面中央部に液晶表示装置等の可変表示装置が設けられ、該可変表示装置画面中で数字合わせ、記号合わせ等のゲームを行い、そのゲーム結果が所定の特賞条件を満たすと該遊技盤に設けられた可変入賞装置の大入賞口が開いて打球が極めて入り易くなり遊技者にとって有利になるように構成されたものが多い。
【０００３】
ところでこの種のパチンコ機においては、遊技盤に設けられるスタートチャッカーに打球が入賞すると、打球の通過を検知し、可変表示装置を作動させる構成となっており、この可変表示装置を打球の入賞の有無に関係なく不正電波によって作動させるという不正行為が行われている。
【０００４】
そこでこの種の不正電波による不正行為を防止するために図４に示す発明がある。この遊技機の不正防止装置は、パチンコ機に対して発射される所定の周波数帯域のパチンコ機を誤動作させるような不正電波を検出する電波検出回路１０１と、電波検出回路１０１で検出される不正電波の発射回数を計数するダウンカウンタ回路１０２と、予め設定された時間が経過するとダウンカウンタ回路１０２をリセットするカウンタ・リセット回路１０３と、カウンタ・リセット回路の予め設定された時間内にダウンカウンタ回路で計数される不正電波の発射回数が予め設定された回数に達しない場合に第１の不正防止機構を実行し、カウンタ・リセット回路の予め設定された時間内にダウンカウンタ回路で計数される不正電波の発射回数が予め設定された回数に達した場合に第２の不正防止機能を実行する不正防止制御回路１０４を備えた構成とされる。
【０００５】
また、可変表示装置により大当たりが出た場合には、大入賞口が所定の時間内に開閉を繰り返して約２３００〜２５００発が大入賞口へ提供される。この大入賞口が開いた時に、ガラス枠等の隙間からピアノ線等の不正部材を遊技盤面に挿入して大入賞口に設けられる開閉板を開いた状態にして設定数以上のパチンコ球を不正取得するか、あるいは大入賞口の開閉板を不正部材によって無理やりこじ開けて打球を非常に入り易くする不正行為があり、これに対する防止手段としては、ガラス枠に鼠返しのような部材を設けて不正部材が挿入できないようにしていたが充分な成果が得られていないのが現状である。
【０００６】
更に最近では新たな不正行為として各パンンコ台に供給される球補給装置に取付けられるソレノイド式開閉器をピアノ線等の不正部材によってこじ開けて補給球の抜き取る不正行為がある。
【０００７】
【特許文献１】特開２００１−１６２０１８号公報（要約書、第１図）
【発明の開示】
【発明が解決しようとする課題】
【０００８】
しかしながら前述した不正電波による不正行為を防止する不正防止装置では、不正電波を発射させた遊技者が不正電波の発射設定回数以内で遊技機から離れた後に、一般の遊技者が遊技を行う場合、その間の時間を予め推測してリセット回路によりカウンタ回路のリセット時間を設定すれば、携帯電話の電波や違法無線の電波による誤動作を防ぐことができるものであるが、パチンコ機はメーカーや機種によって電子制御回路が異なり、これに応じた不正電波検出回路を組み入れなければならず、新機種の入れ替えの度に不正防止装置を入れ替えるのは非常に煩雑な作業となる。
【０００９】
また、不正行為者（ゴト氏）は不正電波の周波数を可変し、パチンコ機に装着された不正防止装置の不正電波検出回路により検知されずに誤作動を起こさせる周波数帯域を見つけ出して不正を行う、あるいは不正電波以外に磁気を利用して誤作動を起こさせるなど状況に応じて検知されない不正を行うために初期段階しか効果を得ることができない問題がある。
【００１０】
更に、ピアノ線などによる大入賞口や球補給装置への不正進入行為があり、これらの不正防止手段を機種の入れ替えが激しいパチンコ機に設けてあらゆる不正行為に対向するには非常に煩雑であり、かつ経済的に負担が大きくなる問題がある。
【００１１】
本発明は、以上の点に鑑みて創案されたものであって、可変表示装置による所定の特賞条件による出玉計数との比較により不正を検知することを可能とするパチンコの不正検知方法および不正検知機構を提供することを目的とするものである。
【課題を解決するための手段】
【００１２】
上記の目的を達成するために、本発明に係るパチンコの不正検知方法は、遊技盤に設けられるスタートチャッカーに打球が入賞することにより可変表示装置が作動し、所定の特賞条件が満たされたとき電子制御盤から発信される特賞信号により大入賞口を開かせ遊技者にとって有利な特賞条件をもたらせるようにしたパチンコ機において、前記可変表示装置が所定の特賞条件となったときに、前記スタートチャッカーへの打球の入賞の有無を検知することにより不正を検知する。
【００１３】
ここで、スタートチャッカーに打球が入賞することで、可変表示装置が作動して、その結果最良の時に特賞が得られるという２つの相互的な動作を検知し、この相互的な動作のうち、スタートチャッカーに打球が入賞せずに可変表示装置が作動して特賞が得られたときに不正とみなして表示ランプにより不正を警告する、あるいはホール従業員に情報を伝達する構成とする。
【００１４】
また、上記の目的を達成するために、本発明に係るパチンコの不正検知方法は、遊技盤に設けられるスタートチャッカーに打球が入賞することにより可変表示装置が作動し、所定の特賞条件が満たされたとき電子制御盤から発信される特賞信号により大入賞口を開かせ遊技者にとって有利な特賞条件をもたらせるようにしたパチンコ機において、前記可変表示装置に所定の特賞条件が満たされたことにより前記大入賞口への打球の入賞による入賞球数を検知する工程を備え、該所定の特賞条件により設定される入賞球数以上の計数を検知したときに不正を検知する。
【００１５】
ここで、可変表示装置に所定の特賞条件（大当たり）が満たされたときに、大入賞口の設けられる開閉板が数回の開閉を繰り返して約２３００〜２５００発の球が入賞する。
この入賞する球の計数を検知し、ピアノ線などによって大入賞口を開いた状態にして約２５００発を超える球の入賞計数を検知したときに不正操作を行なったものとみなして表示ランプにより不正を警告する、あるいはホール従業員に情報を伝達する構成とする。
【００１６】
また、上記の目的を達成するために、本発明に係るパチンコの不正検知方法は、遊技盤に設けられるスタートチャッカーに打球が入賞することにより可変表示装置が作動し、所定の特賞条件が満たされたとき電子制御盤から発信される特賞信号により大入賞口を開かせ遊技者にとって有利な特賞条件をもたらせるようにしたパチンコ機において、前記可変表示装置および他の役物の作動を検知しないときに払い出される設定以上の出球計数を検知したときに不正を検知する。
【００１７】
ここで、可変表示装置および他の役物の作動を検知しないときに払い出される出球計数が約３００発以上の場合では、一回のカードによる球補充が２５０〜３００発程度であり、この計数を超えるときに不正操作とみなして表示ランプにより不正を警告する、あるいはホール従業員に情報を伝達する構成とする。
【００１８】
上記の目的を達成するために、本発明に係るパチンコの不正検知機構は、遊技盤に設けられるスタートチャッカーに打球が入賞することにより可変表示装置が作動し、所定の特賞条件が満たされたとき電子制御盤から発信される特賞信号により大入賞口を開かせ遊技者にとって有利な特賞条件をもたらせるようにしたパチンコ機において、前記スタートチャッカーへの打球の入賞の有無が検知されるスタート検知手段と、前記可変表示装置に所定の特賞条件が満たされたときに該スタート検知手段によるスタートの有無を比較することにより不正が検知される比較検知手段を備える。
【００１９】
ここで、スタートチャッカーに打球が入賞したことを検知するスタート検知手段を設けることにより、可変表示装置が作動して所定の特賞条件が得られたときにスタートチャッカーに打球が入賞したことによる可変表示装置の作動の有無を検知することで不正を検知する。
【００２０】
また、上記の目的を達成するために、本発明に係るパチンコの不正検知機構は、遊技盤に設けられるスタートチャッカーに打球が入賞することにより可変表示装置が作動し、所定の特賞条件が満たされたとき電子制御盤から発信される特賞信号により大入賞口を開かせ遊技者にとって有利な特賞条件をもたらせるようにしたパチンコ機において、前記可変表示装置に所定の特賞条件が満たされたことを検知する特賞検知手段と、前記大入賞口への打球の入賞により入賞球数を検知する入賞球数検知手段と、該特賞条件により設定される入賞球数と入賞球数検知手段によって計測される入賞球数を比較することにより不正を検知する入賞球数比較検知手段を備える。
【００２１】
ここで、可変表示装置に所定の特賞条件が満たされたときに、大入賞口への打球の入賞による入賞球計数を検知することにより、特賞条件により設定される入賞球計数と検知された入賞球計数とを比較し、設定入賞球計数以上のときに不正を検知する。
【００２２】
また、上記の目的を達成するために、本発明に係るパチンコの不正検知機構は、遊技盤に設けられるスタートチャッカーに打球が入賞することにより可変表示装置が作動し、所定の特賞条件が満たされたとき電子制御盤から発信される特賞信号により大入賞口を開かせ遊技者にとって有利な特賞条件をもたらせるようにしたパチンコ機において、前記可変表示装置および他の役物の作動の有無を検知する作動検知手段と、払い出し口からの出玉計数を検知する計数検知手段と、該可変表示装置および他の役物の作動の有無と計数検知手段による出球計数を比較し設定以上の払い出しが検出されたときに球の抜き取りを検知する払い出し不正検知手段を備える。
【００２３】
ここで、可変表示装置および他の役物の作動の有無を検知する作動検知手段を設け、この作動検知手段による検知情報と、払い出される出球計数を検知し、可変表示装置および他の役物の作動が検知されない状態で遊技者によるカードにより玉補給以上の出球計数を検知したときに不正を検知する。
【発明の効果】
【００２４】
本発明ではパチンコ機のスタートチャッカーに打球の入賞を検知するセンサーを設けることにより、打球の入賞を検知しないで可変表示装置が作動して特賞条件を得ることができたときに不正とみなして警告等を発する。
【００２５】
また、払い出される出球計数を検知することにより可変表示装置による特賞条件が得られたときに払い出される出球計数と実際に払い出された出球計数を検知し、比較することで大入賞口の不正操作を検知することが可能となる。
【００２６】
また、可変表示装置および他の役物が作動による払い出しが行われない状況下での出玉計数を検知し、遊技者によるカードによる球補充数より多い場合に不正として検知することが可能となる。
【発明を実施するための最良の形態】
【００２７】
以下、本発明の実施の形態を図面を参酌しながら説明し、本発明の理解に供する。
図１は、本発明を適用したパチンコの不正検知機構におけるパチンコ機の一例の正面図、図２は、図１のパチンコ機の裏面図である。
【００２８】
ここで示すパチンコ機１は、遊技盤２の前面を覆うガラス扉３と、前面下部に設けられる打球発射操作ハンドル４とから構成される。更に遊技盤２の中央には液晶表示装置等の可変表示装置５が設けられ、この可変表示装置５の下部にスタートチャッカー６が設けられ、このスタートチャッカー６の下部には大入賞口７が設けられる。
【００２９】
また、これらの可変表示装置５、スタートチャッカー６および大入賞口７以外の遊技盤２上には入賞口８並びに遊技盤２と打球発射操作ハンドル４との間にはパチンコ球払い出し受け部９がそれぞれ配置されるものである。
【００３０】
次に遊技盤２の裏面側には、島からパチンコ球を補給する球補給部１０および電子制御部１１が設けられ、更に打球発射操作ハンドル４を遊技者が操作することにより槌１２を往復動させ打球を遊技盤２面上に発射させるモータ１３が設置されるものである。
【００３１】
このような構成のパンチコ機１にあっては、打球発射操作ハンドル４による打球がスタートチャッカー６に入賞すると入賞信号が電子制御部１１に入力され、電子制御部１１によって可変表示装置５が作動し、この可変表示装置５に３桁の数字、記号あるいは絵柄等が上から下へ流れるように表示され、一定時間表示された後にその流れが停止し停止時の表示が大当たりとして定められた組み合せになり特賞条件を満たすこととなると電子制御部１１はこれを大当たりと判定し大入賞口７の開閉板１４を開かしめ大入賞口７に打球がきわめて入り易くなって遊技者にとって有利な特賞状態がもたらせる。
【００３２】
そして大入賞口７に入賞した打球の数はカウントされ、その入賞球数が所定数に達すると電子制御部１１は大入賞口７の開閉板１４を閉じさせてその特賞状態は終わるとなるようにしている。
【００３３】
そこで図３に示すように、スタートチャッカー６に打球が入賞したことをセンサーによって検知するスタート検知手段１５を設ける。そして打球の入賞の有無の情報が電子制御部１１（ＣＰＵ回路）に入力される。
【００３４】
次に、スタートチャッカー６に打球が入賞することにより可変表示装置５のスタート信号が電子制御部１１より送られて可変表示装置５が作動し、特賞条件（大当たり）となった特賞情報手段１６によってその情報信号が電子制御部１１（ＣＰＵ回路）に入力される。
【００３５】
また、特賞条件となり大入賞口に入賞する入賞球数を測定する入賞計数検知手段１７を設け、この入賞球数情報信号が電子制御部１１に入力される。
【００３６】
また、打球の入賞により払い出されるパチンコ球は球補給部より入賞に応じた数量のパチンコ球が払い出されるものであり、このパチンコ球の払い出しには球補給部に設けたソレノイドによって数量を調整している。この球補給部の払い出し口からの出球計数を検知する出球計数検知手段１８を設け、この出球計数情報信号が電子制御部１１に入力される。
【００３７】
更に、スタートチャッカーおよび大入賞口以外の入賞口への役物作動を検知した情報信号を電子制御部１１に入力するその他入賞口作動検知手段１９が設けられものである。
【００３８】
そしてこれらの情報は情報出力端子２０より信号線を介してパチンコ機管理用コンピューターにて集計管理されるようになっている。
【００３９】
そこで遊技者が不正電波等によって打球の入賞によらないでスタートチャッカーを作動させて可変表示装置をスタートさせ、特賞条件となった場合には、電子制御部１１は打球が入賞したことをセンサーによって検知するスタート検知手段１５による入賞の有無の情報信号と、特賞条件となった特賞情報手段１６による特賞情報信号とを比較し、入賞した情報が検知されなかった場合には不正をしたものとみなして警報表示ランプ（図示せず。）を点灯させる、あるいは電子制御部１１よりパチンコ機管理用コンピューターにて管理者に伝達される。
【００４０】
また、スタートチャッカーへの打球の入賞により可変表示装置をスタートさせ、特賞条件となった場合には大入賞口の開閉板が開いて打球がきわめて入り易くなる。この大入賞口への入賞球数が入賞計数検知手段１７によって検知され、その入賞計数情報信号が電子制御部１１へ入力され、この入賞計数情報信号が特賞条件となったときに設定される入賞球数（２３００〜２５００発）を超えるときに、ピアノ線などによる大入賞口への不正をしたものとみなして警報表示ランプ（図示せず。）を点灯させる、あるいは電子制御部１１よりパチンコ機管理用コンピューターにて管理者に伝達される。
【００４１】
次に、特賞情報手段１６およびその他入賞口作動検知手段１９により大入賞口やその他の入賞口が作動していないことを検知している場合において、球補給部の払い出し口からの出球計数を検知する出球計数検知手段１８により、出球計数情報信号が電子制御部１１に入力される出球計数が３００発を超えるときには、遊技者がカードにより球補充を行うときの出球は２５０〜３００発であることから、ピアノ線などによる球補給部への不正とみなして警報表示ランプ（図示せず。）を点灯させる、あるいは電子制御部１１よりパチンコ機管理用コンピューターにて管理者に伝達される。
【００４２】
このようにして本発明では、特賞情報手段、入賞口への入賞球数が検知される入賞計数検知手段があらかじめパチンコ機に設置されていることから、これらの情報を利用して新たに設置したスタート検知手段および出球計数を検知する計数検知手段にもたらされる情報との比較によって不正を検知するものであり、あらゆる不正に対して総合的に不正を検知することが可能となる。
【図面の簡単な説明】
【００４３】
【図１】本発明を適用したパチンコの不正検知機構におけるパチンコ機の一例の正面図を示す。
【図２】図１における裏面図を示す。
【図３】本発明を適用したパチンコの不正検知機構のブロック説明図である。
【図４】従来のパチンコの不正防止装置に一例を示す説明図である。
【符号の説明】
【００４４】
１      パチンコ機
２      遊技盤
３      ガラス扉
４      打球発射操作ハンドル
５      可変表示装置
６      スタートチャッカー
７      大入賞口
８      入賞口
９      パチンコ球払い出し受け部
１０    球補給部
１１    電子制御部
１２    槌
１３    モータ
１４    開閉板
１５    スタート検知手段
１６    特賞情報手段
１７    入賞計数検知手段
１８    出球計数検知手段
１９    その他入賞口作動検知手段
２０    情報出力端子
【図１】
2005270268.tif 000003
【図２】
2005270268.tif 000004
【図３】
2005270268.tif 000005
【図４】
2005270268.tif 000006